(57)【要約】【課題】各部材同士の摺動抵抗が大きくなることを抑えることができて円滑に動作させることができるコーナー連結装置および建具を提供すること。【解決手段】コーナー連結装置５０は、弧状杆５１と、二列の第一連動杆５４Ａ，５５Ａと、二列の第二連動杆５４Ｂ，５５Ｂと、コーナーガイド７０とを備えている。  第一連動杆５４Ａ，５５Ａは、弧状杆５１の一方の端部５２に軸ピン６０Ａを介して回転可能に連結されており、第二連動杆５４Ｂ，５５Ｂは、弧状杆５１の他方の端部５３に軸ピン６０Ａを介して回転可能に連結されている。コーナーガイド７０は、互いに交差する方向において第一連動杆５４Ａ，５５Ａおよび第二連動杆５４Ｂ，５５Ｂを連動可能に軸ピン６０Ａを案内するガイド溝７１が形成されている。弧状杆５１は、第一連動杆５４Ａ，５５Ａ間と第二連動杆５４Ｂ，５５Ｂ間とに配置されている。【選択図】図４
2018199938.tif 000002
【特許請求の範囲】
【請求項１】
弧状杆と、前記弧状杆の長手方向における一方側に連結された第一連動杆と、前記弧状杆の長手方向における他方側に連結された第二連動杆と、互いに交差する方向において前記第一連動杆および前記第二連動杆を連動可能に案内するコーナーガイドとを備えており、
前記弧状杆および前記第一連動杆のうちの一方は、前記弧状杆および前記第一連動杆のうちの他方を挟んで配置された第一連結部を有しており、
前記弧状杆および前記第二連動杆のうちの一方は、前記弧状杆および前記第二連動杆のうちの他方を挟んで配置された第二連結部を有している
ことを特徴とするコーナー連結装置。
【請求項２】
請求項１に記載のコーナー連結装置において、
前記第一連結部は、二列の前記第一連動杆または二列の前記弧状杆によって構成されており、
前記第二連結部は、二列の前記第二連動杆または二列の前記弧状杆によって構成されており、
前記コーナーガイドには、前記二列の第一連動杆間および前記二列の第二連動杆間、または前記二列の弧状杆間に配置された取付孔が形成されている
ことを特徴とするコーナー連結装置。
【請求項３】
請求項１に記載のコーナー連結装置において、
前記第一連動杆は、前記弧状杆の一方の端部に軸ピンを介して回転可能に連結された二列の第一連動杆によって構成されており、
前記第二連動杆は、前記弧状杆の他方の端部に軸ピンを介して回転可能に連結された二列の第二連動杆によって構成されており、
前記コーナーガイドには、前記各軸ピンを案内するガイド溝が形成されており、
前記弧状杆は、前記二列の第一連動杆の間と前記二列の第二連動杆の間とに配置されている
ことを特徴とするコーナー連結装置。
【請求項４】
請求項３に記載のコーナー連結装置において、
前記コーナーガイドは、前記ガイド溝が形成された二列の側片部を有しており、
前記二列の側片部は、前記弧状杆および前記二列の第一連動杆の間と前記弧状杆および前記二列の第二連動杆の間とに配置されている
ことを特徴とするコーナー連結装置。
【請求項５】
請求項４に記載のコーナー連結装置において、
前記二列の側片部間には杆逃がし孔が形成されており、
前記杆逃がし孔は、前記コーナーガイドの外角側で開口している
ことを特徴とするコーナー連結装置。
【請求項６】
請求項３から請求項５のいずれか一項に記載のコーナー連結装置において、
前記コーナーガイドは、互いに交差する方向に延びた第一ガイド部および第二ガイド部を有しており、
前記ガイド溝は、前記第一ガイド部に円弧方向に延びて形成された第一ガイド溝と、前記第二ガイド部に円弧方向に延びて形成された第二ガイド溝とによって構成されている
ことを特徴とするコーナー連結装置。
【請求項７】
請求項６に記載のコーナー連結装置において、
前記第一ガイド溝および前記第二ガイド溝は、前記第一ガイド部および前記第二ガイド部が交差する交差角度の二等分線を基準として線対称に形成されている
ことを特徴とするコーナー連結装置。
【請求項８】
枠体と、前記枠体内に開閉可能に配置された障子とを備えており、
前記枠体および前記障子のうちの少なくとも一方は、互いに交差する方向に沿った少なくとも二つのフレームと、前記二つのフレームのうちの一方に沿ってスライド可能な第一作動杆と、前記二つのフレームのうちの他方に沿ってスライド可能な第二作動杆と、前記二つのフレームによって構成されるコーナー部に配置された請求項１から請求項７のいずれか一項に記載のコーナー連結装置とを備えており、
前記コーナー連結装置の第一連動杆は、前記二つの作動杆のうちの一方に取り付けられ、前記コーナー連結装置の第二連動杆は、前記二つの作動杆のうちの他方に取り付けられている
ことを特徴とする建具。
【発明の詳細な説明】
【技術分野】
【０００１】
本発明は、二つの部材を連動させるコーナー連結装置および建具に関する。
【背景技術】
【０００２】
従来、窓障子の周囲に設けられた開閉用の種々の金具を操作する作動杆である竪杆と横杆とを連結するコーナー連結装置が知られている（特許文献１参照）。
このコーナー連結装置は、竪杆および横杆の端部に回転可能にそれぞれ連結される連動杆と、両連動杆の端部にピン（軸ピン）を介して回転可能に連結された円弧状の弧状杆と、弧状杆を弧状に沿って案内する円弧状のガイド溝が形成されたコーナー部材とを備えている。
【先行技術文献】
【特許文献】
【０００３】
【特許文献１】特公平３−３０３７号公報
【発明の概要】
【発明が解決しようとする課題】
【０００４】
ところで、特許文献１に記載のコーナー連結装置では、弧状杆の片側だけに連動杆がピンを介して連結されている。このため、両連動杆を連動させる場合には、弧状杆の片側だけに力が加えられることとなるので、ピンに偏心モーメントが作用して各部材同士の摺動抵抗が大きくなり、コーナー連結装置を円滑に動作させることが困難となるおそれがある。
【０００５】
本発明の目的は、各部材同士の摺動抵抗が大きくなることを抑えることができて円滑に動作させることができるコーナー連結装置および建具を提供することにある。
【課題を解決するための手段】
【０００６】
本発明のコーナー連結装置は、弧状杆と、前記弧状杆の長手方向における一方側に連結された第一連動杆と、前記弧状杆の長手方向における他方側に連結された第二連動杆と、互いに交差する方向において前記第一連動杆および前記第二連動杆を連動可能に案内するコーナーガイドとを備えており、前記弧状杆および前記第一連動杆のうちの一方は、前記弧状杆および前記第一連動杆のうちの他方を挟んで配置された第一連結部を有しており、前記弧状杆および前記第二連動杆のうちの一方は、前記弧状杆および前記第二連動杆のうちの他方を挟んで配置された第二連結部を有していることを特徴とする。
本発明のコーナー連結装置によれば、例えば第一連動杆や第二連動杆が弧状杆の幅方向片側にしかない場合には軸ピンに偏心モーメントが作用して各部材同士の摺動抵抗が大きくなるおそれがあるが、本発明では、弧状杆および第一連動杆のうちの一方の第一連結部が当該弧状杆および第一連動杆のうちの他方を挟んで配置され、かつ、弧状杆および第二連動杆のうちの一方の第二連結部が当該弧状杆および第二連動杆のうちの他方を挟んで配置されるので、各部材同士の摺動抵抗が大きくなることを抑えることができ、コーナー連結装置による第一連動杆および第二連動杆の連動を円滑に行わせることができる。
【０００７】
本発明のコーナー連結装置では、前記第一連結部は、二列の前記第一連動杆または二列の前記弧状杆によって構成されており、前記第二連結部は、二列の前記第二連動杆または二列の前記弧状杆によって構成されており、前記コーナーガイドには、前記二列の第一連動杆間および前記二列の第二連動杆間、または前記二列の弧状杆間に配置された取付孔が形成されていることが可能である。
このような構成によれば、第一連結部および第二連結部が各二列の第一連動杆および第二連動杆によって構成される場合には、二列の第一連動杆間および二列の第二連動杆間において取付孔にねじを挿通して障子のコーナー部に固定することができる。また、第一連結部および第二連結部が二列の弧状杆によって構成される場合には、二列の弧状杆間において取付孔にねじを挿通して障子のコーナー部に固定することができる。更に、いずれの構成の場合であっても、コーナー連結装置に加わる力が集まる仮想軸線上に沿った位置またはその近くでコーナーガイドを支持できる。
【０００８】
本発明のコーナー連結装置では、前記第一連動杆は、前記弧状杆の一方の端部に軸ピンを介して回転可能に連結された二列の第一連動杆によって構成されており、前記第二連動杆は、前記弧状杆の他方の端部に軸ピンを介して回転可能に連結された二列の第二連動杆によって構成されており、前記コーナーガイドには、前記各軸ピンを案内するガイド溝が形成されており、前記弧状杆は、前記二列の第一連動杆の間と前記二列の第二連動杆の間とに配置されていることが好ましい。
このような構成によれば、前述した本発明のコーナー連結装置の作用効果を発揮できる。また、第一連動杆および第二連動杆が二列ずつあるので、例えば二列の第一連動杆の間と二列の第二連動杆の間とに弧状杆やコーナーガイドを配置でき、各部材の設計、配置の自由度を向上できる。
【０００９】
本発明のコーナー連結装置では、前記コーナーガイドは、前記ガイド溝が形成された二列の側片部を有しており、前記二列の側片部は、前記弧状杆および前記二列の第一連動杆の間と前記弧状杆および前記二列の第二連動杆の間とに配置されていることが好ましい。
このような構成によれば、弧状杆の幅方向両側において二列の側片部のガイド溝によって軸ピンを案内できるので、例えば弧状杆の幅方向片側だけにガイド溝を配置して軸ピンを案内する場合と比べて偏心モーメントの発生を抑えて当該各部材のガタツキを減少することができ、コーナー連結装置における力の伝達効率を向上できる。
【００１０】
本発明のコーナー連結装置では、前記二列の側片部間には杆逃がし孔が形成されており、前記杆逃がし孔は、前記コーナーガイドの外角側で開口していることが好ましい。
このような構成によれば、杆逃がし孔を形成することでコーナーガイドのうち弧状杆を囲む部分を減らすことができ、弧状杆が干渉することなくコーナーガイドを小型化できる。このため、納まり寸法の小さな各種のコーナー部にコーナー連結装置を配置することが可能となる。また、杆逃がし孔が外角側で開口しているので、ガイド溝における軸ピンの繰り返し案内によって発生し得る摩耗粉を杆逃がし孔から外部へ排出できる。つまり、杆逃がし孔を摩耗粉排出孔として兼用できる。
【００１１】
本発明のコーナー連結装置では、前記コーナーガイドは、互いに交差する方向に延びた第一ガイド部および第二ガイド部を有しており、前記ガイド溝は、前記第一ガイド部に円弧方向に延びて形成された第一ガイド溝と、前記第二ガイド部に円弧方向に延びて形成された第二ガイド溝とによって構成されていることが好ましい。
このような構成によれば、第一ガイド部および第二ガイド部が連続した部分にガイド溝が形成されないので、その分だけ当該部分をスリム化できる。
【００１２】
本発明のコーナー連結装置では、前記第一ガイド溝および前記第二ガイド溝は、前記第一ガイド部および前記第二ガイド部が交差する交差角度の二等分線を基準として線対称に形成されていることが好ましい。
このような構成によれば、第一ガイド部側における連動と第二ガイド部側おける連動とを同様に動作可能となるので、コーナー連結装置の取付け向きが変えられても同様に連動動作させることができ、各向きのコーナー部に共用できて汎用性を向上できる。また、第一ガイド溝および第二ガイド溝を前述した線対称に形成することで、第一連動杆や第二連動杆の部材を共通化でき、勝手違いの部材を削減できて製造コストを削減できる。
【００１３】
本発明の建具は、枠体と、前記枠体内に開閉可能に配置された障子とを備えており、前記枠体および前記障子のうちの少なくとも一方は、互いに交差する方向に沿った少なくとも二つのフレームと、前記二つのフレームのうちの一方に沿ってスライド可能な第一作動杆と、前記二つのフレームのうちの他方に沿ってスライド可能な第二作動杆と、前記二つのフレームによって構成されるコーナー部に配置された前述した本発明のコーナー連結装置とを備えており、前記コーナー連結装置の第一連動杆は、前記二つの作動杆のうちの一方に取り付けられ、前記コーナー連結装置の第二連動杆は、前記二つの作動杆のうちの他方に取り付けられていることを特徴とする。
本発明の建具によれば、前述した本発明のコーナー連結装置の作用効果を発揮できる建具を構成でき、コーナー連結装置の作動によって二つの作動杆の二つのフレームに沿ったスライド移動を連動させることができ、二つの作動杆のスライド移動によって障子の開閉、開き形態の切替えや施解錠などの各種の動作を連動させることができる。
【発明の効果】
【００１４】
本発明によれば、各部材同士の摺動抵抗が大きくなることを抑えることができて円滑に動作させることができるコーナー連結装置および建具を提供することができる。
【図面の簡単な説明】
【００１５】
【図１】本発明の実施形態に係る建具を示す内観姿図。
【図２】前記実施形態に係る建具の動作状態を示す斜視図。
【図３】前記実施形態に係る建具のコーナー部を示す斜視図。
【図４】前記実施形態に係る建具のコーナー連結装置を分解して示す斜視図。
【図５】前記実施形態に係る建具のコーナー連結装置の動作状態を示す説明図。
【図６】前記実施形態に係る建具のコーナー連結装置を示す説明図。
【図７】本発明の変形例に係るコーナー連結装置を示す斜視図。
【発明を実施するための形態】
【００１６】
［本実施形態の構成］
以下、本発明の実施形態を図面に基づいて説明する。
図１，２において、本実施形態に係る建具であるドレーキップ窓１は、窓枠２（枠体）と、窓枠２内に配置された障子３と、障子３を内倒し（図２（Ａ）に示す開き状態参照）および内開き（図２（Ｂ）に示す開き状態参照）の二通りに開閉可能に窓枠２に連結した開き切替機構１１とを備えている。
窓枠２は、上枠４、下枠５および左右の縦枠６といった各フレームを互いに直交する方向に枠組みして構成されている。障子３は、上框７、下框８および左右の縦框９といった各フレームを互いに直交する方向に組み、組んだ框内に面材１０を嵌め込んで構成されている。障子３は、図１において右側に示す縦框９に取り付けられたハンドル９Ａによって開閉操作される。
ここで、図に示すＸ、Ｙ、Ｚ軸方向は互いに直交しており、Ｘ軸方向は上枠４および下枠５の見付け方向に沿っており、Ｙ軸方向は左右の縦枠６の見付け方向に沿っており、Ｚ軸方向は、窓枠２の見込み方向に沿っている。
【００１７】
開き切替機構１１は、上ヒンジ１２と、下ヒンジ１３と、下支持体１４と、上ヒンジ１２および下支持体１４を連動させる第一作動杆１５および第二作動杆１６と、第二作動杆１６に連結された操作摘み１７と、第一作動杆１５および第二作動杆１６を連結したコーナー連結装置５０とによって構成されている。
上ヒンジ１２は、図２に示すように、吊元側上部において窓枠２と障子３とを連結するものであり、本実施形態では上枠４に固定された枠側プレート（図示省略）と、上框７に固定された框側プレート１２１と、枠側プレートおよび框側プレート１２１を連結したリンクアーム１２２，１２３とによって構成されている。框側プレート１２１の吊元側の端部は第一作動杆１５が係合可能に構成されている。本実施形態では、ドレーキップ窓１の通常使用時には、第一作動杆１５が框側プレート１２１との係合が解錠された非係合状態であり、図２（Ａ）に示すように障子３を内倒し可能に上枠４に連結した状態である。また、ドレーキップ窓１の掃除等のメンテナンス時には、第一作動杆１５が框側プレート１２１と係合した係合状態であり、図２（Ｂ）に示すように障子３を内開き可能に上枠４に連結した状態である。
下ヒンジ１３は、吊元側下部において窓枠２と障子３とを連結するものであり、上ヒンジ１２と概略同様に構成されているが、下ヒンジ１３の框側プレート（図示省略）は、吊元側の端部が下框８に不動に固定されている点で、第一作動杆１５との係合が解除されて内倒し動作時に回動を生じる上ヒンジ１２の框側プレート１２１とは異なる。また、下ヒンジ１３は、下框８の長手方向に沿った軸回りに揺動可能に設置されている。
下支持体１４は、戸先側下部において窓枠２と障子３とを連結するものであり、図２（Ｂ）に示すように、下框８に取り付けられた支持ピン１４１と、下枠５に取り付けられた受け体１４２とによって構成されている。この下支持体１４は、第二作動杆１６のスライドによって支持ピン１４１が受け体１４２の凹溝に係合し、また係合が解除される。支持ピン１４１および受け体１４２の係合状態では、支持ピン１４１は受け体１４２に対して下框８の長手方向に沿った軸回りに揺動可能な状態である。また、前記係合が解除された非係合状態では、支持ピン１４１は受け体１４２から離間可能な状態である。
第一作動杆１５は、図３に示すように、吊元側の縦框９の長手方向に沿って形成されたスライド溝９１にスライド可能に配置されており、第二作動杆１６は、下框８の長手方向に沿って形成されたスライド溝８１にスライド可能に配置されている。
操作摘み１７は、下框８の室内側見付け片部に取り付けられており、操作によって第二作動杆１６をＹ方向にスライド操作可能に構成されている。
【００１８】
コーナー連結装置５０は、本実施形態では、図３に示すように下框８および吊元側の縦框９によって構成されるコーナー部３０に配置されている。このコーナー連結装置５０は、図４に示すように、弧状杆５１と、弧状杆５１の一方の端部５２に軸ピン６０Ａを介して回転可能に連結された二列の第一連動杆５４Ａ，５５Ａと、第一連動杆５４Ａ，５５Ａに軸ピン６０Ｂを介して回転可能に連結された第一接合体５６と、弧状杆５１の他方の端部５３に軸ピン６０Ａを介して回転可能に連結された二列の第二連動杆５４Ｂ，５５Ｂと、第二連動杆５４Ｂ，５５Ｂに軸ピン６０Ｂを介して回転可能に連結された第二接合体５７と、互いに交差する方向において第一連動杆５４Ａ，５５Ａおよび第二連動杆５４Ｂ，５５Ｂを連動可能に各軸ピン６０Ａを案内するガイド溝７１が形成されたコーナーガイド７０とを備えている。
【００１９】
弧状杆５１は、図５に示すように仮想回転軸Ｃを中心とした円弧方向に沿って弧状に形成されており、両端部５２，５３に軸ピン６０Ａが挿通される軸孔５２Ａ，５３Ａ（図４参照）がそれぞれ形成されている。なお、図５では、第一連動杆５４Ａおよび第二連動杆５４Ｂの図示を省略し且つコーナーガイド７０の断面を示している。
第一連動杆５４Ａ，５５Ａは、互いに同じ長さで同様に構成されており、両端部には孔５８，５９がそれぞれ形成されている。孔５８には軸ピン６０Ａが挿通されており、孔５９には軸ピン６０Ｂが挿通されている。第一接合体５６には凹溝部５６１が形成されており、この凹溝部５６１に前述した軸ピン６０Ｂ（第一連動杆５４Ａ，５５Ａの孔５９に挿通された軸ピン６０Ｂ）に嵌合している。この第一接合体５６は、第一作動杆１５に取り付けられている。第一連動杆５４Ａ，５５Ａの両端部のうち孔５８が形成された側の端部は、弧状杆５１の端部５２を挟んで配置された第一連結部を構成している。また、前述した第一連動杆５４Ａ，５５Ａ間には、第一接合体５６の凹溝部５６１が配置されている。
第二連動杆５４Ｂ，５５Ｂおよび第二接合体５７は、第一連動杆５４Ａ，５５Ａおよび第一接合体５６と同様に構成されているので、図に同符号を適宜付してこれらの詳細な説明を省略する。なお、第二連動杆５４Ｂ，５５Ｂの両端部のうち孔５８が形成された側の端部は、弧状杆５１の端部５３を挟んで配置された第二連結部を構成している。また、第二連動杆５４Ｂ，５５Ｂ間には、第二接合体５７の凹溝部５６１が配置されている。
【００２０】
コーナーガイド７０は、図４〜６に示すように、互いに直交する方向に延びた第一ガイド部７２および第二ガイド部７３を有している。第一ガイド部７２および第二ガイド部７３は、これらの長手方向が直交する直交角度の二等分線９０（図５参照）を基準として線対称に形成されているので、以下、第一ガイド部７２について詳細に説明し、第二ガイド部７３については図に同符号を適宜付して詳細な説明を省略する。
第一ガイド部７２は、長手方向における両端部７４，７５で連続している二列の側片部７６，７７と、両端部７４，７５間であってコーナーガイド７０の内角側において側片部７６，７７をつないでいる連続片部７８とを有している。端部７４には取付孔７４１が形成されており、コーナーガイド７０は取付孔７４１に挿通されるねじ６１によって障子３に取り付けられている。
側片部７６，７７間には弧状杆５１が収容されており、側片部７６は弧状杆５１および第一連動杆５４Ａに挟まれて配置されており、側片部７７は弧状杆５１および第一連動杆５５Ａに挟まれて配置されている。
側片部７６，７７のうち両端部７４，７５間であって外角側の部分には杆逃がし孔７９（図５および図６（Ｂ）参照）が当該外角側で開口して形成されている。杆逃がし孔７９は、弧状杆５１の移動軌跡上に位置している。
側片部７６，７７には、仮想回転軸Ｃを中心とした円弧方向に延びた第一ガイド溝７１１がそれぞれ同様に形成されている。これらの第一ガイド溝７１１には、第一連動杆５４Ａ，５５Ａおよび弧状杆５１を連結した軸ピン６０Ａが配置されている。なお、第二ガイド部７３には、第一ガイド溝７１１と同様に形成された第二ガイド溝７１２が形成されており、第二ガイド溝７１２には、第二連動杆５４Ｂ，５５Ｂおよび弧状杆５１を連結した軸ピン６０Ａが配置されている。第一ガイド溝７１１および第二ガイド溝７１２は、第一ガイド部７２および第二ガイド部７３が連続した部分である端部７５を隔てて配置されている。第一ガイド溝７１１および第二ガイド溝７１２によってガイド溝７１が形成されている。
端部７４には、第一連動杆５４Ａ，５５Ａの外倒れ防止用の受け部７４２がコーナーガイド７０の幅方向両側に突出して形成されている。第一ガイド部７２の端部７５と第二ガイド部７３の端部は連続した共通の端部によって構成されている。端部７５の内角側の部分には弧状杆５１が円弧方向にスライド可能に配置された溝部が形成されている。また、端部７５には、側片部７６，７７の対向方向に突出した位置決め用の突起８０が形成されている。突起８０は、障子３の見込み方向において下框８および縦框９に当接することで、障子３の見込み方向におけるコーナーガイド７０のガタツキを抑制している。
【００２１】
以上のコーナー連結装置５０では、図６（Ａ）に示すように、第一ガイド部７２では、第一連動杆５４Ａの内面から弧状杆５１の幅方向における中央位置までの幅寸法Ｗ１は、第一連動杆５４Ａの内面から第一接合体５６の幅方向における中央位置までの幅寸法Ｗ１と等しくされており、第一連動杆５５Ａの内面から弧状杆５１の幅方向における中央位置までの幅寸法Ｗ２は、第一連動杆５５Ａの内面から第一接合体５６の幅方向における中央位置までの幅寸法Ｗ２と等しくされている。そして、前述した各幅寸法Ｗ１は各幅寸法Ｗ２と等しくされている。また、図示しないが、第二ガイド部７３でも前述同様に各幅寸法Ｗ１は各幅寸法Ｗ２と等しくされている。これにより、開き切替機構１１の作動によってコーナー連結装置５０に加わる力が図６に示す幅方向おける中央位置にある仮想軸線９２上に集まることとなるので、偏心によるモーメントの発生を抑制できて効率よく力を伝達できる。
【００２２】
以下、本実施形態に係るドレーキップ窓１開き切替動作について説明する。
まず、図２（Ａ）に示す内倒しモードから図２（Ｂ）に示す内開きモードに切り替える開き切替動作について説明する。
ドレーキップ窓１が内倒しモードにある場合、コーナー連結装置５０は、図３、図５（Ａ）に示すように第一接合体５６が下方に下がった状態であると共に、第二接合体５７が上下方向に直交する左右方向であって戸先側に突出した状態にある。このため、第一作動杆１５は下方に下がった状態であって上ヒンジ１２の框側プレート１２１の吊元側の端部と非係合状態となっているので、框側プレート１２１はその戸先側の端部を軸心として回動可能な状態とされている。また、第二作動杆１６は戸先側に突出した状態であり、下支持体１４の支持ピン１４１が受け体１４２の凹溝に係合した係合状態となっているので、障子３の戸先側下部が窓枠２から内開き方向に離間することが規制された状態で、下框８の長手方向に沿った軸回りに揺動可能な状態とされている。この内倒しモードでは、ハンドル９Ａの操作によって下ヒンジ１３および下支持体１４が揺動することで、図２（Ａ）に示すように、上框７が上枠４から室内側に倒れる内倒し動作が可能となっている。
この内倒しモードにおいて、障子３を閉鎖状態として操作摘み１７を図１において左側に操作すると、第二作動杆１６がＹ軸方向に沿って吊元側にスライド移動し、下支持体１４の支持ピン１４１が受け体１４２から外されて非係合状態となる。このため、障子３の戸先側下部は窓枠２から内開き方向に離間可能な状態とされる。
一方、第二作動杆１６の吊元側へのスライド移動はコーナー連結装置５０によってＸ軸方向に沿って上方に向かう移動に変換されて第一作動杆１５に伝達される。具体的には、第二作動杆１６のスライド移動は第二接合体５７から軸ピン６０Ｂを介して二列の第二連動杆５４Ｂ，５５Ｂに分けて伝達され、第二連動杆５４Ｂ，５５ＢがＹ軸方向に沿って吊元側に移動する。このとき第二連動杆５４Ｂ，５５Ｂは受け部７４２に支えられることで外倒れが防止されている。続いて、第二連動杆５４Ｂ，５５Ｂの吊元側への移動は軸ピン６０Ａを介して弧状杆５１の端部５３に合わせて伝達され、端部５３が吊元側へ移動する。このとき、端部５３に連結された軸ピン６０Ａが第二ガイド溝７１２によって円弧方向に案内され且つ端部５２に連結された軸ピン６０Ａが第一ガイド溝７１１によって円弧方向に案内されるので、弧状杆５１は仮想回転軸Ｃを中心として図５（Ａ）に示すＲ１方向に回動する。このＲ１方向の回動は、端部５２に連結された軸ピン６０Ａを介して二列の第一連動杆５４Ａ，５５Ａに分けて伝達され、第一連動杆５４Ａ，５５ＡがＸ軸方向に沿って上方に移動する。そして、第一連動杆５４Ａ，５５Ａの上方への移動は軸ピン６０Ｂを介して第一接合体５６に合わせて伝達され、第一接合体５６から第一作動杆１５に伝達されるので、第一作動杆１５は上方にスライド移動する。
第一作動杆１５が上方へスライド移動すると、第一作動杆１５の上端部は、上ヒンジ１２の框側プレート１２１の吊元側の端部に係合した係合状態となり、障子３の吊元側上部が窓枠２から内倒し方向に離間することを規制する。
これにより、上ヒンジ１２および下ヒンジ１３が内開き方向に開閉可能であって下支持体１４の支持ピン１４１が受け体１４２から離間可能であるので、障子３が図２（Ｂ）に示すように内開き方向に開閉可能な内開きモードとなる。
【００２３】
次に、図２（Ｂ）に示す内開きモードから図２（Ａ）に示す内倒しモードに切り替える開き切替動作について説明する。
ドレーキップ窓１が内開きモードにある場合、コーナー連結装置５０は、図５（Ｂ）に示すように第一接合体５６が上方に上がった状態であると共に、第二接合体５７が左右方向であって吊元側に引き込まれた状態にある。このため、第一作動杆１５は上方に上がった状態であって上ヒンジ１２の框側プレート１２１の吊元側の端部と係合状態となっているので、框側プレート１２１は上框７に沿って不動に固定された状態とされている。また、第二作動杆１６は吊元側に引き込まれた状態であり、下支持体１４の支持ピン１４１が受け体１４２の凹溝から外れた非係合状態となっているので、障子３の戸先側下部が窓枠２から内開き方向に離間可能な状態とされている。この内開きモードでは、ハンドル９Ａの操作によって上ヒンジ１２および下ヒンジ１３がＸ軸方向に沿った軸心を中心として回転動作し、図２（Ｂ）に示すように戸先側の縦框９が戸先側の縦枠６から室内側に開く内開き動作が可能となっている。
この内開きモードにおいて、障子３を閉鎖状態として操作摘み１７を図１において右側に操作すると、第二作動杆１６がＹ軸方向に沿って戸先側にスライド移動し、下支持体１４の支持ピン１４１が受け体１４２に係合して係合状態となる。このため、障子３の戸先側下部は窓枠２に対して内開き方向の離間が規制された状態とされる。
一方、第二作動杆１６の戸先側へのスライド移動はコーナー連結装置５０によってＸ軸方向に沿って下方に向かう移動に変換されて第一作動杆１５に伝達される。具体的には、第二作動杆１６のスライド移動は第二接合体５７から軸ピン６０Ｂを介して二列の第二連動杆５４Ｂ，５５Ｂに分けて伝達され、第二連動杆５４Ｂ，５５ＢがＹ軸方向に沿って戸先側に移動する。続いて、第二連動杆５４Ｂ，５５Ｂの戸先側への移動は軸ピン６０Ａを介して弧状杆５１の端部５３に合わせて伝達され、端部５３が戸先側へ移動する。このとき、端部５３に連結された軸ピン６０Ａが第二ガイド溝７１２によって円弧方向に案内され且つ端部５２に連結された軸ピン６０Ａが第一ガイド溝７１１によって円弧方向に案内されるので、弧状杆５１は仮想回転軸Ｃを中心として図５（Ｂ）に示すＲ２方向に回動する。このＲ２方向の回動は、端部５２に連結された軸ピン６０Ａを介して二列の第一連動杆５４Ａ，５５Ａに分けて伝達され、第一連動杆５４Ａ，５５ＡがＸ軸方向に沿って下方に移動する。そして、第一連動杆５４Ａ，５５Ａの下方への移動は軸ピン６０Ｂを介して第一接合体５６に合わせて伝達され、第一接合体５６から第一作動杆１５に伝達されるので、第一作動杆１５は下方にスライド移動する。
第一作動杆１５が下方へスライド移動すると、第一作動杆１５の上端部は、上ヒンジ１２の框側プレート１２１の吊元側の端部から外れた非係合状態となり、障子３の吊元側上部が窓枠２から内倒し方向に離間可能な状態とされる。これにより、前述した内開きモードとなる。
【００２４】
［本実施形態の効果］
（１）前記実施形態では、第一連動杆５４Ａ，５５Ａによって構成される前述した第一連結部および第二連動杆５４Ｂ，５５Ｂによって構成される前述した第二連結部が弧状杆５１の幅方向両側に配置されることとなるので、偏心モーメントの発生を抑制することができて各部材同士の摺動抵抗が大きくなることを抑えることができ、コーナー連結装置５０による第一連動杆５４Ａ，５５Ａおよび第二連動杆５４Ｂ，５５Ｂの連動を円滑に行わせることができる。
さらに、本実施形態では、以下の各効果を発揮できる。
（２）二列の第一連動杆５４Ａ，５５Ａおよび二列の第二連動杆５４Ｂ，５５Ｂがあるので、例えば弧状杆５１に対する連結部分が二又形状に形成された連動杆と比べて、各部材の設計、配置の自由度を向上できる。
（３）二列の第一連動杆５４Ａ，５５Ａ間および二列の第二連動杆５４Ｂ，５５Ｂ間において取付孔７４１にねじ６１を挿通してコーナー部３０に固定することができるうえ、コーナー連結装置５０に加わる力が集まる仮想軸線９２上に沿った位置またはその近くでコーナーガイド７０を支持できる。このため、コーナーガイド７０自体に生じる偏心モーメントを抑え、コーナーガイド７０を固定するねじ６１に加わる力を小さく抑制でき、ねじ６１の引き抜けや破断に対して有効である。
（４）弧状杆５１の幅方向両側において二列の側片部７６，７７のガイド溝７１によって軸ピン６０Ａを案内できるので、例えば弧状杆５１の幅方向片側だけにガイド溝７１を配置して軸ピン６０Ａを案内する場合と比べて偏心モーメントの発生を抑えて当該各部材のガタツキ減少することができ、コーナー連結装置５０における力の伝達効率を向上できる。
（５）側片部７６，７７間に杆逃がし孔７９を形成することで、コーナーガイド７０のうち弧状杆５１を囲む部分を減らすことができ、弧状杆５１が干渉することなくコーナーガイド７０を小型化できる。このため、納まり寸法の小さな各種のコーナー部３０にコーナー連結装置５０を配置することが可能となる。また、杆逃がし孔７９が外角側で開口しているので、ガイド溝７１における軸ピン６０Ａの繰り返し案内によって発生し得る摩耗粉を杆逃がし孔７９から外部へ排出できる。つまり、杆逃がし孔７９を摩耗粉排出孔として兼用できる。
（６）第一ガイド溝７１１および第二ガイド溝７１２は、第一ガイド部７２および第二ガイド部７３が連続した部分を隔てて配置されており、第一ガイド部７２および第二ガイド部７３が連続した部分にガイド溝７１が形成されないので、その分だけ当該部分をスリム化できる。
（７）第一ガイド溝７１１および第二ガイド溝７１２は、第一ガイド部７２および第二ガイド部７３が交差する交差角度（本実施形態では直交する直交角度）の二等分線９０を基準として線対称に形成されているので、第一ガイド部７２側における連動と第二ガイド部７３側における連動とを同様に動作可能となる。このため、コーナー連結装置５０の取付け向きが変えられても同様に連動動作させることができ、各向きのコーナー部３０に共用できて汎用性を向上できる。また、第一ガイド溝７１１および第二ガイド溝７１２を前述した線対称に形成することで、第一連動杆５４Ａ，５５Ａや第二連動杆５４Ｂ，５５Ｂの部材を共通化でき、勝手違いの部材を削減できて製造コストを削減できる。
（８）ガイド溝７１は、弧状杆５１自体ではなく軸ピン６０Ａを案内する構成であるので、弧状杆５１自体を案内する場合と比べて摺動抵抗を小さく抑えることができる。
（９）弧状杆５１がコーナーガイド７０内に収容されているので、コーナーガイド７０を下框８および縦框９のスライド溝８１，９１に納めることができ、下框８や縦框９への取付加工はねじ６１が螺合するねじ孔加工だけでよいので取付加工を簡略化でき、下ヒンジ１３等と干渉しない配置にできる。
【００２５】
［変形例］
本発明は、以上の実施形態で説明した構成のものに限定されず、本発明の目的を達成できる範囲での変形例は、本発明に含まれる。
例えば、前記実施形態では、二列の第一連動杆５４Ａ，５５Ａおよび二列の第二連動杆５４Ｂ，５５Ｂを備えているが、それぞれ一列であってもよく、この場合には、第一連動杆の第一連結部および第二連動杆の第二連結部を二又形状として弧状杆５１の端部５２，５３を挟んで配置されてもよい。また、弧状杆５１の端部５２，５３にスリット等を形成して二又形状として第一連動杆および第二連動杆を挟んで配置される第一連結部、第二連結部を構成してもよい。
更に、例えば図７に示すように、コーナー連結装置５０は、その幅方向において対向した二列の弧状杆５１を備え、これら二列の弧状杆５１の間に一列の第一連動杆６４および一列の第二連動杆６５を挟んで第一連結部、第二連結部を構成してもよく、この場合には、コーナーガイド７０Ａには、二列の弧状杆５１の間において障子３に固定するためのねじ６１が挿通される取付孔７４１が形成されていてもよく、この取付孔７４１は図７に示すようにコーナーガイド７０Ａの第一ガイド部７２Ａおよび第二ガイド部７３Ａが互いに直交する方向で交わる連続部分に形成されていてもよい。
【００２６】
前記実施形態では、コーナーガイド７０に杆逃がし孔７９が形成されているが、弧状杆５１を案内可能な構成であれば杆逃がし孔７９の構成を省略してもよい。
前記実施形態では、互いに連続していない第一ガイド溝７１１および第二ガイド溝７１２によってガイド溝７１が構成されているが、第一ガイド部７２から第二ガイド部７３にわたって連続した一つのガイド溝であってもよい。
前記実施形態では、ガイド溝７１は、仮想回転軸Ｃを中心とした円弧方向に沿っているが、第一連動杆５４Ａ，５５Ａおよび第二連動杆５４Ｂ，５５Ｂを連動可能に軸ピン６０Ａを案内できる範囲であれば前記円弧方向から外れていてもよく、例えば第一ガイド溝７１１がＸ軸方向に沿って直線状に形成されていてもよく、第二ガイド溝７１２がＹ軸方向に沿って直線状に形成されていてもよい。
前記実施形態では、コーナーガイド７０は二つの側片部７６，７７を有しているが、側片部７６，７７のうち片側だけを有していてもよい。この場合には、軸ピン６０Ａは片側のガイド溝によって円弧方向に案内される。
前記実施形態では、第一ガイド部７２および第二ガイド部７３が二等分線９０を基準として線対称とされているが、これに限られずに互いに異なる形状であってもよい。この場合、第一ガイド溝７１１および第二ガイド溝７１２だけが二等分線９０を基準として線対称とされていてもよいが、軸ピン６０Ａを案内可能な範囲であれば異なる形状であってもよい。
前記実施形態では、下框８および吊元側の縦框９によって構成されるコーナー部３０に設置されているが、これに限られず、下框８および戸先側の縦框９のコーナー部や上框７および左右の縦框９のコーナー部、上枠４、下枠５および左右の縦枠６によって構成される各コーナー部に設置されて、各種のコーナー部における移動伝達を可能としてもよい。
前記実施形態では、ドレーキップ窓１を建具として説明したが、このほか、外倒し窓、外開き窓やドア等の開き系の建具や、引き違い窓や引戸といったスライディング系の建具などであってもよい。
【符号の説明】
【００２７】
１…ドレーキップ窓（建具）、１０…面材、１１…開き切替機構、１２…上ヒンジ、１２１…框側プレート、１２２，１２３…リンクアーム、１３…下ヒンジ、１４…下支持体、１４１…支持ピン、１４２…受け体、１５…第一作動杆、１６…第二作動杆、１７…操作摘み、２…窓枠（枠体）、３…障子、３０…コーナー部、４…上枠、５…下枠、５０…コーナー連結装置、５１…弧状杆、５２，５３，７４，７５…端部、５２Ａ，５３Ａ…軸孔、５４Ａ，５５Ａ，６４…第一連動杆、５４Ｂ，５５Ｂ，６５…第二連動杆、５６…第一接合体、５６１…凹溝部、５７…第二接合体、５８，５９…孔、６…縦枠、６０Ａ，６０Ｂ…軸ピン、６１…ねじ、７…上框、７０，７０Ａ…コーナーガイド、７１…ガイド溝、７１１…第一ガイド溝、７１２…第二ガイド溝、７２，７２Ａ…第一ガイド部、７３，７３Ａ…第二ガイド部、７４１…取付孔、７４２…受け部、７６，７７…側片部、７８…連続片部、７９…杆逃がし孔、８…下框、８０…突起、８１，９１…スライド溝、９…縦框、９０…二等分線、９２…仮想軸線、９Ａ…ハンドル、Ｃ…仮想回転軸、Ｗ１，Ｗ２…幅寸法。
【図１】
2018199938.tif 000003
【図２】
2018199938.tif 000004
【図３】
2018199938.tif 000005
【図４】
2018199938.tif 000006
【図５】
2018199938.tif 000007
【図６】
2018199938.tif 000008
【図７】
2018199938.tif 000009